(57)【要約】【課題】フレームの上部に設けられたボルト軸に加わる力を簡単な構造で分散してボルト軸の不用意な屈曲を防止することができるキャスターを提供する。【解決手段】車輪４を支持したフレーム３の上部に回転自在に回転プレート６を設け、この回転プレート６の中心部に、キャスター１を家具等の用品に取り付けるためのボルト軸８を設け、このボルト軸８の下部で前記回転プレート６と接触する位置に、その回転プレート６よりも大きな面積をもち、かつ回転プレート６と一体的に回転可能な補強プレート１０を脱着可能に設け、この補強プレート１０でボルト軸８に加わる力の一部を負担してボルト軸８を補強する。【選択図】　　図２
0003099582.tif 000002
【実用新案登録請求の範囲】
【請求項１】
車輪を支持したフレームの上部に回転自在に回転プレートが設けられ、この回転プレートの中心部に、キャスターを家具等の用品に取り付けるためのボルト軸が設けられ、このボルト軸の下部で前記回転プレートと接触する位置に、その回転プレートよりも大きな面積をもち、かつ回転プレートと一体的に回転可能な補強プレートが設けられていることを特徴とするキャスター。
【請求項２】
補強プレートはボルト軸に対して脱着可能に設けられていることを特徴とする請求項１に記載のキャスター。
【請求項３】
補強プレートは回転プレートに固定して設けられていることを特徴とする請求項１に記載のキャスター。
【考案の詳細な説明】
【０００１】
【考案の属する技術分野】
この考案は、ベッド、机、台車等の用品の下面に取り付けてその移動を可能にするキャスターに関する。
【０００２】
【従来の技術】
一般にこの種のキャスターは、例えば特開平１１−９９８０３号公報に見られるように、車輪を支持したフレームの上部にトッププレートを水平に取り付けた構造をなし、前記トッププレートを家具や台車等の用品の水平な下面に押し当てるとともに、そのトッププレートの四隅部分から用品の下面に渡ってボルト等の締結具を螺挿し、その各締結具を締め付けて用品に固定するようにしている。
【０００３】
【考案が解決しようとする課題】
しかしながら、複数の締結具を用いてキャスターを用品に固定する構造であると、その固定の作業に手間がかかり、能率が低下する。
【０００４】
そこで、キャスターのフレームの上部に１本のボルト軸を取り付け、このボルト軸を用品の下面に螺挿し、締め付けて固定することが考えられる。この場合には、単に１本のボルト軸を用品に螺挿して締め付けるだけでよいから、容易に能率よく短時間でキャスターを用品に固定することができる。
【０００５】
ところが、キャスターを１本のボルト軸で用品に固定する構造であると、用品の荷重がその１本のボルト軸に集中して加わる。ボルト軸としては、当然その荷重に対応し得る強度のものが用いられるわけであるが、用品がベッドのような高重量で多種多様の方向の力が複合してボルト軸に繰り返して作用するような場合があり、このような場合にボルト軸に予想を上回る荷重が加わってボルト軸が屈曲してしまうことがある。
【０００６】
この考案はこのような点に着目してなされたもので、その目的とするところは、ボルト軸に加わる力を簡単な構造で分散してボルト軸の不用意な屈曲を確実に防止することができるキャスターを提供することにある。
【０００７】
【課題を解決するための手段】
この考案は、車輪を支持したフレームの上部に回転自在に回転プレートが設けられ、この回転プレートの中心部に、キャスターを家具等の用品に取り付けるためのボルト軸が設けられ、このボルト軸の下部で前記回転プレートと接触する位置に、その回転プレートよりも大きな面積をもち、かつ回転プレートと一体的に回転可能な補強プレートが設けられていることを特徴としている。
【０００８】
補強プレートは、ボルト軸に対して脱着可能に設けるか、あるいは回転プレートに固定する。
【０００９】
【考案の実施の形態】
以下、この考案の実施の形態について図面を参照して説明する。
【００１０】
図１にはキャスター１の構造を、図２にはそのキャスター１を用品としてのベッド２の下面に取り付けた状態をそれぞれ示してある。
【００１１】
キャスター１は、フレーム３を備え、このフレーム３の下部に車輪４が回転自在に取り付けられている。フレーム３の上部にはベアリング５を介して回転プレート６が水平に設けられ、この回転プレート６がフレーム３に対して垂直軸回り方向に回転自在に回転するようになっている。なお、７は車輪４の回転止め用のストッパーである。
【００１２】
回転プレート６の上面中心部にはボルト軸８が取り付けられ、このボルト軸８が回転プレート６と一体にフレーム３に対して垂直軸回り方向に回転するようになっている。そしてこのボルト軸８の下部にナット９が固定されている。
【００１３】
ボルト軸８には金属製の補強プレート１０が脱着可能に嵌着されている。この補強プレート１０は前記回転プレート６よりも大きな外径の円板状をなし、図３に示すように、中心部に前記ボルト軸８の抜き差しが自在な円孔１１が形成されているとともに、下面にはその円孔１１と同心的に前記ナット９に対応する角形の凹部１２およびこの凹部１２に連なるガイド溝１３が形成されている。
【００１４】
ベッド２にキャスター１を取り付ける際には、図２および図４に示すように、ボルト軸８に補強プレート１０を嵌着し、この補強プレート１０の下面の凹部１２を回転プレート６の上面のナット９に嵌合し、補強プレート１０が回転プレート６に接触する状態のもとで、回転プレート６および補強プレート１０と共にボルト軸８を回転操作してボルト軸８をベッド２の下面に螺挿し、補強プレート１０をベッド２の下面に接触させる。
【００１５】
そしてこの後、図４に示す工具１５を補強プレート１０の下面のガイド溝１３内に挿入し、この工具１５を用いて補強プレート１０をさらに締め方向に回してボルト軸８を締め付ける。これにより補強プレート１０がベッド２の下面に圧着し、キャスター１がベッドに固定される。
【００１６】
このようにして同様の構造のキャスター１をベッド２の下面の四隅部分にそれぞれ取り付け、その各キャスター１を介してベッド２を水平に、かつ移動可能に支持する。
【００１７】
ここで、ベッド２が高重量であることから、キャスター１のボルト軸８の周辺には多種の方向に大きな荷重が加わるが、ボルト軸８の下部には面積の大きい補強プレート１０が設けられ、この補強プレート１０がベッド２の下面にボルト軸８と一体的に圧着しており、このためベッド２から加わる多方向からの荷重がボルト軸８に集中することなく、補強プレート１０にも分散し、つまりボルト軸８が補強プレート１０により補強され、このためボルト軸８の不用意な屈曲が防止され、キャスター１の耐久性を高めることができる。
【００１８】
キャスター１は単に１本のボルト軸８をベッド２に螺挿して締め付けるだけでよく、このため容易に能率よく短時間でベッド２に取り付けることができる。
【００１９】
ところで、補強プレート１０は比較的大きな面積の部材であり、このためキャスター１の流通過程での保管や輸送時等にその補強プレート１０が周辺に突出して邪魔となる恐れがある。
【００２０】
しかしながら本実施形態においては、補強プレート１０がボルト軸８に対して脱着可能に設けられており、このため補強プレート１０をボルト軸８から取り外しておくことにより、補強プレート１０が邪魔となることなくキャスター１を便利に取り扱うことができる。
【００２１】
また、補強プレート１０がボルト軸８に対して脱着可能であるから、キャスター１をベッド２に取り付ける際に、そのベッド２の重量等に応じた大きさの補強プレート１０を用いることが可能となる。
【００２２】
すなわち、補強プレート１０はその面積が大きいほどボルト軸８に対する補強効果が増すから、予め大きさの異なる数種の補強プレート１０を用意しておき、キャスター１をベッド２に取り付ける際に、ボルト軸８に加わる荷重条件、例えばベッド２の重量等に応じて補強プレート１０の大きさを選んでそれを使用することが可能であり、これによりボルト軸８の屈曲をより的確に防止することができる。
【００２３】
前記実施形態においては、補強プレート１０をボルト軸８に対して脱着可能としたが、補強プレート１０をボルト軸８に対して溶接等の手段で固定する場合であってもよい。
【００２４】
この場合においても、面積の大きい補強プレート１０がベッド２の下面にボルト軸８と一体的に圧着し、このためベッド２から加わる多方向からの荷重がボルト軸８に集中することなく、補強プレート１０にも分散し、したがってボルト軸８の不用意な屈曲を防止してキャスター１の耐久性を高めることができる。
【００２５】
また、この場合には、補強プレート１０がボルト軸８と常時一体的に結合して離脱することがないから、キャスター１の保管や輸送時等の取り扱いの際に補強プレート１０を紛失するようなことがなく、便利に取り扱うことができる。
【００２６】
【考案の効果】
以上説明したようにこの考案によれば、ボルト軸に加わる力の一部を補強プレートで負担して分散することができ、したがってボルト軸の不用意な屈曲を防止してキャスターの耐久性を高めることができる。
【図面の簡単な説明】
【図１】この考案の一実施形態に係るキャスターを示す斜視図。
【図２】そのキャスターをベッドの下面に取り付けた状態の側面図。
【図３】そのキャスターに用いられる補強プレートを示す斜視図。
【図４】キャスターをベッドの下面に取り付ける際の状態を示す斜視図。
【符号の説明】
１…キャスター
２…ベッド（用品）
３…フレーム
４…車輪
６…回転プレート
８…ボルト軸
１０…補強プレート
【図１】
0003099582.tif 000003
【図２】
0003099582.tif 000004
【図３】
0003099582.tif 000005
【図４】
0003099582.tif 000006